【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
透光性の原稿台と、
原稿を前記原稿台に一定の原稿搬送速度で搬送する搬送手段と、
前記原稿台上を搬送中の原稿の画像を前記原稿台を介して読み取る読取手段と、
原稿読取中に前記原稿台を所定の方向に移動させる駆動手段と、
原稿の搬送方向長さに基づき前記搬送方向長さがＬ１の場合には前記原稿台の移動速度をＶｐ１に、前記搬送方向長さが前記Ｌ１よりも短いＬ２の場合には前記移動速度を前記Ｖｐ１よりも速いＶｐ２に、前記駆動手段を制御して前記原稿台の移動速度を変化させる制御手段と、
を備えることを特徴とする画像読取装置。
【請求項２】
Ｌ１≧２×Ｌ２の場合には、Ｖｐ２≧２×Ｖｐ１であることを特徴とする請求項１に記載の画像読取装置。
【請求項３】
原稿サイズを検出する検出手段を備え、
前記制御手段は、
前記検出手段により検出される原稿サイズから前記搬送方向長さを特定することを特徴とする請求項１または２に記載の画像読取装置。
【請求項４】
透光性の原稿台と、
原稿トレイにセットされた原稿束から原稿を１枚ずつ分離して一定の原稿搬送速度で前記原稿台に搬送する搬送手段と、
前記原稿台上を搬送中の原稿の画像を前記原稿台を介して読み取る読取手段と、
原稿読取中に前記原稿台を所定の方向に移動させる駆動手段と、
前記原稿束がサイズの異なる原稿を含む混載原稿であることを示す情報を取得し、混載モードであるか否かを判断する判断手段と、
前記原稿束の中の原稿の最大搬送方向長さを特定する特定手段と、
前記判断手段によって混載モードと判断した場合には、前記特定手段によって特定された前記最大搬送方向長さに基づき、最大搬送方向長さがＬ１の場合には前記原稿台の移動速度をＶｐ１に、前記最大搬送方向長さが前記Ｌ１よりも短いＬ２の場合には前記移動速度を前記Ｖｐ１よりも速いＶｐ２に、前記駆動手段を制御して変化させる制御手段と、
を備えることを特徴とする画像読取装置。
【請求項５】
透光性の原稿台と、
原稿搬送方向における読取倍率がＭ１の場合には原稿搬送速度をＶｏ１、前記読取倍率が前記Ｍ１よりも大きいＭ２の場合には前記原稿搬送速度を前記Ｖｏ１よりも遅いＶｏ２にして原稿を前記原稿台に搬送する搬送手段と、
前記原稿台上を搬送中の原稿の画像を前記原稿台を介して読み取る読取手段と、
原稿読取中に前記原稿台を所定の方向に移動させる駆動手段と、
前記読取倍率に基づき、前記読取倍率が前記Ｍ１の場合には前記原稿台の移動速度をＶｐ１に、前記Ｍ２の場合には前記移動速度を前記Ｖｐ１よりも速いＶｐ２に、前記駆動手段を制御して前記原稿台の移動速度を変化させる制御手段と、
を備えることを特徴とする画像読取装置。
【請求項６】
Ｖｏ１≧２×Ｖｏ２の場合には、Ｖｐ２≧２×Ｖｐ１であることを特徴とする請求項５に記載の画像読取装置。
【請求項７】
透光性の原稿台と、
原稿を前記原稿台に一定の原稿搬送速度で搬送する搬送手段と、
前記原稿台上を搬送中の原稿の画像を前記原稿台を介して読み取る読取手段と、
前記読取手段によって読取られた原稿の読取データを副走査方向に電子的に変倍する電子変倍手段と、
原稿読取中に前記原稿台を所定の方向に移動させる駆動手段と、
前記電子変倍手段の倍率に基づき、前記倍率がＭ１の場合には前記原稿台の移動速度をＶｐ１に、前記Ｍ１よりも大きいＭ２の場合には前記移動速度を前記Ｖｐ１よりも速いＶｐ２に、前記駆動手段を制御して前記原稿台の移動速度を変化させる制御手段と、
を備えることを特徴とする画像読取装置。
【請求項８】
透光性の原稿台と、
原稿を前記原稿台に一定の原稿搬送速度で搬送する搬送手段と、
前記原稿台上を搬送中の原稿の画像を前記原稿台を介して読み取る読取手段と、
原稿読取中に前記原稿台を所定の方向に移動させる駆動手段と、
前記読取手段によって読取られた原稿の読取データに対し、エッジ強調処理またはスムージング処理を実行する画像処理手段と、
前記画像処理手段の画像処理に基づき、前記スムージング処理を実行する場合は前記原稿台の移動方向をＶｐ１に、前記エッジ強調処理を実行する場合は前記移動速度を前記Ｖｐ１よりも速いＶｐ２に、前記駆動手段を制御して前記原稿台の移動速度を変化させる制御手段と、
を備えることを特徴とする画像読取装置。
【請求項９】
前記所定の方向は、原稿搬送方向に略平行な一定の方向であることを特徴とする請求項１乃至８のいずれか１項に記載の画像読取装置。
【請求項１０】
前記読取手段は、
前記原稿の画像を原稿搬送方向に所定の間隔をおいて位置する複数の読取位置で１画素単位で読み取って、各読取位置ごとに対応した異なる色の成分信号を出力すると共に、前記読取手段の出力信号に基づき、各画素について、当該画素の各色の成分信号にエッジ成分が含まれるか否かを検出し、検出結果に基づいて前記原稿台の汚れによるノイズ成分の有無を検出する検出手段を備えることを特徴とする請求項１乃至９のいずれか１項に記載の画像読取装置。
【手続補正２】
【補正対象書類名】明細書
【補正対象項目名】０００７
【補正方法】変更
【補正の内容】
【０００７】
上記目的を達成するため、本発明に係る画像読取装置は、透光性の原稿台と、原稿を前記原稿台に一定の原稿搬送速度で搬送する搬送手段と、前記原稿台上を搬送中の原稿の画像を前記原稿台を介して読み取る読取手段と、原稿読取中に前記原稿台を所定の方向に移動させる駆動手段と、原稿の搬送方向長さに基づき前記搬送方向長さがＬ１の場合には前記原稿台の移動速度をＶｐ１に、前記搬送方向長さが前記Ｌ１よりも短いＬ２の場合には前記移動速度を前記Ｖｐ１よりも速いＶｐ２に、前記駆動手段を制御して前記原稿台の移動速度を変化させる制御手段と、を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
ここで、Ｌ１≧２×Ｌ２の場合には、Ｖｐ２≧２×Ｖｐ１であることを特徴とする。
また、原稿サイズを検出する検出手段を備え、前記制御手段は、前記検出手段により検出される原稿サイズから前記搬送方向長さを特定することを特徴とする。
本発明に係る画像読取装置は、透光性の原稿台と、原稿トレイにセットされた原稿束から原稿を１枚ずつ分離して一定の原稿搬送速度で前記原稿台に搬送する搬送手段と、前記原稿台上を搬送中の原稿の画像を前記原稿台を介して読み取る読取手段と、原稿読取中に前記原稿台を所定の方向に移動させる駆動手段と、前記原稿束がサイズの異なる原稿を含む混載原稿であることを示す情報を取得し、混載モードであるか否かを判断する判断手段と、前記原稿束の中の原稿の最大搬送方向長さを特定する特定手段と、前記判断手段によって混載モードと判断した場合には、前記特定手段によって特定された前記最大搬送方向長さに基づき、最大搬送方向長さがＬ１の場合には前記原稿台の移動速度をＶｐ１に、前記最大搬送方向長さが前記Ｌ１よりも短いＬ２の場合には前記移動速度を前記Ｖｐ１よりも速いＶｐ２に、前記駆動手段を制御して変化させる制御手段と、を備えることを特徴とする。
【手続補正５】
【補正対象書類名】明細書
【補正対象項目名】００１０
【補正方法】変更
【補正の内容】
【００１０】
本発明に係る画像読取装置は、透光性の原稿台と、原稿搬送方向における読取倍率がＭ１の場合には原稿搬送速度をＶｏ１、前記読取倍率が前記Ｍ１よりも大きいＭ２の場合には前記原稿搬送速度を前記Ｖｏ１よりも遅いＶｏ２にして原稿を前記原稿台に搬送する搬送手段と、前記原稿台上を搬送中の原稿の画像を前記原稿台を介して読み取る読取手段と、原稿読取中に前記原稿台を所定の方向に移動させる駆動手段と、前記読取倍率に基づき、前記読取倍率が前記Ｍ１の場合には前記原稿台の移動速度をＶｐ１に、前記Ｍ２の場合には前記移動速度を前記Ｖｐ１よりも速いＶｐ２に、前記駆動手段を制御して前記原稿台の移動速度を変化させる制御手段と、を備えることを特徴とする。
【手続補正６】
【補正対象書類名】明細書
【補正対象項目名】００１１
【補正方法】変更
【補正の内容】
【００１１】
ここで、Ｖｏ１≧２×Ｖｏ２の場合には、Ｖｐ２≧２×Ｖｐ１であることを特徴とする。
本発明に係る画像読取装置は、透光性の原稿台と、原稿を前記原稿台に一定の原稿搬送速度で搬送する搬送手段と、前記原稿台上を搬送中の原稿の画像を前記原稿台を介して読み取る読取手段と、前記読取手段によって読取られた原稿の読取データを副走査方向に電子的に変倍する電子変倍手段と、原稿読取中に前記原稿台を所定の方向に移動させる駆動手段と、前記電子変倍手段の倍率に基づき、前記倍率がＭ１の場合には前記原稿台の移動速度をＶｐ１に、前記Ｍ１よりも大きいＭ２の場合には前記移動速度を前記Ｖｐ１よりも速いＶｐ２に、前記駆動手段を制御して前記原稿台の移動速度を変化させる制御手段と、を備えることを特徴とする。
【手続補正７】
【補正対象書類名】明細書
【補正対象項目名】００１２
【補正方法】変更
【補正の内容】
【００１２】
本発明に係る画像読取装置は、透光性の原稿台と、原稿を前記原稿台に一定の原稿搬送速度で搬送する搬送手段と、前記原稿台上を搬送中の原稿の画像を前記原稿台を介して読み取る読取手段と、原稿読取中に前記原稿台を所定の方向に移動させる駆動手段と、前記読取手段によって読取られた原稿の読取データに対し、エッジ強調処理またはスムージング処理を実行する画像処理手段と、前記画像処理手段の画像処理に基づき、前記スムージング処理を実行する場合は前記原稿台の移動方向をＶｐ１に、前記エッジ強調処理を実行する場合は前記移動速度を前記Ｖｐ１よりも速いＶｐ２に、前記駆動手段を制御して前記原稿台の移動速度を変化させる制御手段と、を備えることを特徴とする。
【手続補正８】
【補正対象書類名】明細書
【補正対象項目名】００１３
【補正方法】変更
【補正の内容】
【００１３】
また、前記所定の方向は、原稿搬送方向に略平行な一定の方向であることを特徴とする。
さらに、前記読取手段は、前記原稿の画像を原稿搬送方向に所定の間隔をおいて位置する複数の読取位置で１画素単位で読み取って、各読取位置ごとに対応した異なる色の成分信号を出力すると共に、前記読取手段の出力信号に基づき、各画素について、当該画素の各色の成分信号にエッジ成分が含まれるか否かを検出し、検出結果に基づいて前記原稿台の汚れによるノイズ成分の有無を検出する検出手段を備えることを特徴とする。